(57)【特許請求の範囲】
【請求項１】
室内を殺菌する殺菌設備であって、液体殺菌剤を気化する殺菌ガス供給装置を備えて気化した殺菌ガスを前記室内に供給可能とし、前記室内を予め乾燥させる乾燥手段を設けるとともに、前記乾燥手段によって乾燥した前記室内を殺菌ガスの供給に先立って冷却する冷却手段を設け、前記冷却手段によって冷却した前記室内に供給された殺菌ガスを前記室内の表面全体に凝縮させて付着させることにより殺菌を行わせるとともに、前記殺菌剤を触媒分解する分解装置を付帯した排気ダクトを設け、この排気ダクトを通じた排気により前記凝縮した殺菌剤を自然乾燥しつつ前記分解装置で分解することを特徴とする殺菌設備。
【発明の詳細な説明】
【０００１】
【発明の属する技術分野】
本発明は殺菌設備に係り、特に病院において病室や手術室を殺菌する殺菌設備に関する。
【０００２】
【従来の技術】
感染症の病原菌を保有した入院患者の病室は、定期的に殺菌することが必要とされる。殺菌方法としては、殺菌剤によって清拭を行う清拭法と、殺菌剤を噴霧する噴霧法とがある。清拭法は、日常の業務として行われ、作業者が次亜塩素酸ナトリウム等の殺菌剤をガーゼ、雑巾、スポンジ、モップ等に染み込ませて、室内の床・壁面・洗面台などを拭き取る。一方、噴霧法は、患者が退室した後に完全に室内を滅菌する目的で行われ、ホルムアルデヒドなどの滅菌剤を霧状にして圧縮空気に混合させ、噴霧器によって室内の床、壁などに噴霧する。
【０００３】
【発明が解決しようとする課題】
しかしながら、これらの殺菌方法は、入室した作業者によって手作業で行われるため、作業者が感染性の病原菌に感染する虞があった。
【０００４】
また、従来の殺菌方法は、作業効率が悪く、作業時間がかかるという欠点があった。例えば、清拭法は、使用する器具（例えばバケツ、布類、スポンジ等）も十分に殺菌した状態に管理する必要があるため、殺菌作業の準備や後処理が煩雑であるという問題があった。一方、噴霧法は、殺菌したい部分に霧状の殺菌剤を直接、噴霧しなければならないため、殺菌作業に多大な時間を費やすという問題があった。
【０００５】
本発明はこのような事情に鑑みてなされたもので、室内殺菌の作業効率を向上させるとともに、作業者にとって安全性の優れた殺菌設備を提供することを目的とする。
【０００６】
【課題を解決するための手段】
本発明は前記目的を達成するために、室内を殺菌する殺菌設備であって、液体殺菌剤を気化する殺菌ガス供給装置を備えて気化した殺菌ガスを前記室内に供給可能とし、前記室内を予め乾燥させる乾燥手段を設けるとともに、前記乾燥手段によって乾燥した前記室内を殺菌ガスの供給に先立って冷却する冷却手段を設け、前記冷却手段によって冷却した前記室内に供給された殺菌ガスを前記室内の表面全体に凝縮させて付着させることにより殺菌を行わせるとともに、前記殺菌剤を触媒分解する分解装置を付帯した排気ダクトを設け、この排気ダクトを通じた排気により前記凝縮した殺菌剤を自然乾燥しつつ前記分解装置で分解することを特徴としている。
【０００７】
請求項１記載の発明によれば、気化した殺菌剤を室内に供給し、室内で凝縮させるようにしたので、凝縮した殺菌剤が室内の表面全体に付着し、室内全体が効率良く殺菌される。また、作業者が入室せずに殺菌作業を行うことができるので、作業者の安全性が著しく向上する。
【０００８】
また、本発明は、室内を乾燥させる乾燥手段を設けたので、例えば、殺菌前に室内を乾燥させることによって、室内の水滴を除去することができ、凝縮した殺菌剤が水滴によって希釈されることを防止できる。また、殺菌後に室内を乾燥させることによって、殺菌剤の凝縮液を迅速に蒸発させて除去することができる。
【０００９】
更に本発明は、冷却手段によって室内を冷却した後に殺菌ガスを供給するようにしたので、室内に供給した殺菌剤が迅速に凝縮される。
【００１０】
【発明の実施の形態】
以下添付図面に従って、本発明に係る殺菌設備の好ましい実施の形態について詳説する。
【００１１】
図１は、第１の実施の形態における殺菌設備１０の構成を模式的に示した図である。同図に示すように、殺菌設備１０は主として、殺菌ガス供給装置１２、供給ダクト１４、室１６、排気ダクト１８で構成される。
【００１２】
殺菌ガス供給装置１２は、液状の殺菌剤を気化させて殺菌ガスを製造する装置であり、例えば、加熱板に殺菌剤を滴下させたり、殺菌剤の槽に空気曝気を行ったり、高温空気を殺菌剤に接触させたりすることにより、液状の殺菌剤をガス化する。そして、ガス化した殺菌剤を、供給ダクト１４を介して室１６に供給する。なお、殺菌剤としては、例えば、ホルムアルデヒドやエチレンオキサイドなどが使用される。
【００１３】
室１６は、病室の一例であり、内部に洗面台２０や便器２２などが設けられる。この室１６に供給された殺菌ガスは、洗面台２０、便器２２などの表面や、室１６の壁面（床、側壁、天井）で凝縮し、付着する。これにより、室１６の内部の表面全体が殺菌される。
【００１４】
室１６内の殺菌剤は、排気ダクト１８から除去される。その際、凝縮した殺菌剤も自然乾燥されて排気ダクト１８から除去される。排気ダクト１８には、分解装置２４が配設されており、この分解装置２４によって殺菌剤が触媒分解される。これにより、殺菌設備１０の外部に対しての安全性が確保される。
【００１５】
次に上記の如く構成された殺菌設備１０の作用について説明する。
【００１６】
室１６内の洗面台２０付近や便器２２付近は常に湿潤したウェットエリアであり、このウェットエリアは、乾燥した場所と比較して１〜２オーダ多く菌が棲息している。したがって、このウェットエリアを殺菌することが重要である。しかし、従来の噴霧法だと、霧状の殺菌剤を上方から噴霧しても殺菌剤が洗面台２０の下側や便器２２の裏側に行き渡らないという不具合がある。このため、作業者が噴霧器のノズルを洗面台２０の下側や便器２２の裏側に直接向けて噴霧することが必要であった。
【００１７】
これに対し、殺菌設備１０は、気化した殺菌剤を室１６に供給するので、室１６内の凹凸形状に関係なく、表面全体に殺菌剤が行き渡る。したがって、凝縮した殺菌剤が表面全体に均等に付着するので、室１６の内部全体が確実に殺菌される。
【００１８】
また、凝縮によって形成される殺菌剤の液滴は、噴霧法の噴霧によって形成される液滴よりも径が小さいので、殺菌剤を乾燥させるのに要する時間が短くなる。
【００１９】
また、殺菌設備１０は、従来の清拭法と比較して、使用機器を殺菌して管理するなどの準備作業や後処理作業が不要であり、作業効率を向上させることができる。
【００２０】
また、殺菌設備１０は、作業者が室１６内に入って作業する必要がないので、作業者が病原菌に感染される虞がなく、作業者にとっての安全性が著しく向上する。
【００２１】
さらに、殺菌設備１０は、室１６内に浮遊した病原菌も殺菌することができる。
【００２２】
図２は第２の実施の形態における殺菌設備２６を模式的に示した図である。
【００２３】
同図に示すように、殺菌設備２６は、供給ダクト１４に乾燥空気を供給する乾燥装置２８と、室１６に冷却空気を供給する冷却装置３０とを備えている。また、殺菌設備２６は、殺菌剤として過酸化水素水が使用される。
【００２４】
この殺菌設備２６は、まず、弁３２を閉じて弁３４を開き、乾燥装置２８から供給ダクト１４に乾燥空気を供給する。これにより、乾燥空気が供給ダクト１４を介して室１６に供給され、供給ダクト１４及び室１６が乾燥される。室１６が乾燥されると、洗面台２０や便器２２の表面に付着した水滴が蒸発し、除去される。
【００２５】
次に、冷却装置３０から室１６に冷却空気を供給する。これにより、室１６の内部が冷却され、洗面台２０や便器２２の表面温度、及び室１６内の壁面温度が低下する。
【００２６】
次に、弁３４を閉じて弁３２を開き、殺菌ガス供給装置１２から供給ダクト１４に殺菌ガスを供給する。これにより、殺菌ガスが供給ダクト１４を介して室１６に供給され、洗面台２０、便器２２の表面や、室１６内の壁面で殺菌剤が凝縮する。このとき、洗面台２０、便器２２の表面温度、及び室１６内の壁面温度が低下しているので、殺菌ガスは凝縮されやすい。したがって、殺菌ガスが素早く凝縮されるとともに、十分な凝縮液量を得ることができる。これにより、殺菌時間が短縮されるとともに、殺菌効力を向上させることができる。
【００２７】
また、乾燥装置２８から供給した乾燥空気によって洗面台２０や便器２２の表面から水滴が除去されているので、凝縮した殺菌剤が水滴によって希釈されることがなく、十分な殺菌効力を得ることができる。したがって、洗面台２０付近や便器２２付近のウェットエリアを十分に殺菌することができる。
【００２８】
次に、弁３２を閉じて弁３４を開き、乾燥装置２８から供給ダクト１４に乾燥空気を供給する。これにより、乾燥空気が供給ダクト１４を介して室１６に供給され、供給ダクト１４と室１６が強制的に乾燥される。したがって、自然乾燥させた場合よりも、凝縮した殺菌剤を早く蒸発させて除去することができる。
【００２９】
このように殺菌設備２６によれば、乾燥装置２８を設けて殺菌前の室１６内を乾燥させたので、洗面台２０や便器２２に付着した水滴を除去することができ、殺菌剤による殺菌効果を十分に得ることができる。また、乾燥装置２８によって、殺菌後の室１６内を乾燥させたので、殺菌剤の除去を迅速に行うことができ、作業効率を向上させることができる。
【００３０】
また、殺菌設備２６によれば、冷却装置３０を設けて殺菌前の室１６内を冷却したので、殺菌剤を迅速に凝縮させることができ、作業効率を向上させることができる。
【００３１】
さらに殺菌設備２６で使用した過酸化水素水は、殺菌後に水と酸素に分解されるので、室１６内の残留毒性の心配がない。
【００３２】
なお、上述した第２の実施の形態で、殺菌後に室１６を乾燥させる別の方法として、熱風を室１６に送気してもよい。室１６に熱風を送気すると、室１６内の殺菌剤が迅速に蒸発されるとともに、その際に殺菌剤の温度が上昇して殺菌能力も上昇するので、殺菌効果を高めることができる。
【００３３】
また、殺菌前に室１６を乾燥させる別の方法として、室１６の床面や側面に輻射パネルを設置してもよい。
【００３４】
さらに、供給ダクト１４の壁面温度を上昇させる手段を設け、供給ダクト１４の壁面で殺菌剤が凝縮することを防止してもよい。
【００３５】
【発明の効果】
以上説明したように本発明に係る殺菌設備によれば、気化した殺菌剤を室内に供給するようにしたので、室内全体を効率良く殺菌できるとともに、作業者にとっての安全性を著しく向上させることができる。
【図面の簡単な説明】
【図１】第１の実施の形態における殺菌設備の構成を模式的に示した図
【図２】第２の実施の形態における殺菌設備の構成を模式的に示した図
【符号の説明】
１０、２６…殺菌設備、１２…殺菌ガス供給装置、１４…供給ダクト、１６…室、１８…排気ダクト、２０…洗面台、２２…便器、２４…分解装置、２８…乾燥装置、３０…冷却装置
【図１】
0004296720.tif 000002
【図２】
0004296720.tif 000003